(57)【要約】【課題】施工図の作成や積算を容易に行う。【解決手段】建物の建築施工を支援する建築施工支援装置（建築施工支援装置１００）は、建築施工する建物の仕様を設定する建物仕様設定手段（ＣＰＵ１、ＲＯＭ３）と、前記建物仕様設定手段により設定された建物の仕様に基づいて、当該建物の建築に必要な部材の仕様を設定する部材仕様設定手段（ＣＰＵ１、ＲＯＭ３）と、前記建物の仕様に基づいて、前記建物を建築施工する際の施工図を作成する作図手段（ＣＰＵ１、ＲＯＭ３）と、前記作図手段により作成された施工図における部材の数量と前記部材仕様設定手段により設定された部材の仕様とに基づいて前記建物の躯体数量についての積算を行う躯体数量積算手段（ＣＰＵ１、ＲＯＭ３）と、を備える。【選択図】図１
2005222283.tif 000002
【特許請求の範囲】
【請求項１】
建物の建築施工を支援する建築施工支援装置であって、
建築施工する建物の仕様を設定する建物仕様設定手段と、
前記建物仕様設定手段により設定された建物の仕様に基づいて、当該建物の建築に必要な部材の仕様を設定する部材仕様設定手段と、
前記建物の仕様に基づいて、前記建物を建築施工する際の施工図を作成する作図手段と、
前記作図手段により作成された施工図における部材の数量と前記部材仕様設定手段により設定された部材の仕様とに基づいて前記建物の躯体数量についての積算を行う躯体数量積算手段と、
を備えることを特徴とする建築施工支援装置。
【請求項２】
前記建物仕様設定手段は、
鉄筋の定着及び継手に関するデータ、コンクリートに関するデータ、型枠に関するデータ、鉄筋の仕様番号と建物の各階毎に標準で使用する鉄筋の種類からなる鉄筋データの少なくとも一つのデータを入力するデータ入力手段と、
前記データ入力手段により入力されたデータを記憶するデータ記憶手段と、
を備えることを特徴とする請求項１に記載の建築施工支援装置。
【請求項３】
前記部材仕様設定手段は、
前記建物の柱の構築に必要な柱部材データ、前記建物の梁の構築に必要な梁部材データ、前記建物の床版の構築に必要な床版部材データ、前記建物の壁の構築に必要な壁部材データ、前記建物の開口部の構築に必要な開口部データの少なくとも一つの部材データを入力する部材データ入力手段と、
前記部材データ入力手段により入力された部材データを記憶する部材データ記憶手段と、
を備えることを特徴とする請求項１又は２に記載の建築施工支援装置。
【請求項４】
建物の建築施工に必要な部材と当該部材の仕様とが対応付けられて記憶されている部材リスト記憶手段、を備え、
前記部材仕様設定手段は、前記部材リスト記憶手段に記憶された所定の部材の仕様を選択することにより当該部材の仕様設定を行うことを特徴とする請求項１〜３の何れか一項に記載の建築施工支援装置。
【請求項５】
前記作図手段は、前記建物の仕様に基づいて、前記部材仕様設定手段により仕様が設定された部材を配置して積算図を作図し、この積算図を前記施工図に変換することを特徴とする請求項１〜４の何れか一項に記載の建築施工支援装置。
【請求項６】
建物の建築施工を支援する建築施工支援方法であって、
建築施工する建物の仕様を設定する建物仕様設定工程と、
前記建物仕様設定工程により設定された建物の仕様に基づいて、当該建物の建築に必要な部材の仕様を設定する部材仕様設定工程と、
前記建物の仕様に基づいて、前記建物を建築施工する際の施工図を作成する作図工程と、
前記作図工程により作成された施工図における部材の数量と前記部材仕様設定工程により設定された部材の仕様とに基づいて前記建物の躯体数量についての積算を行う躯体数量積算工程と、
を備えることを特徴とする建築施工支援方法。
【請求項７】
コンピュータに、
建築施工する建物の仕様を設定する建物仕様設定機能と、
前記建物仕様設定機能により設定された建物の仕様に基づいて、当該建物の建築に必要な部材の仕様を設定する部材仕様設定機能と、
前記建物の仕様に基づいて、前記建物を建築施工する際の施工図を作成する作図機能と、
前記作図機能により作成された施工図における部材の数量と前記部材仕様設定機能により設定された部材の仕様とに基づいて前記建物の躯体数量についての積算を行う躯体数量積算機能と、
を実現させるためのプログラム。
【発明の詳細な説明】
【技術分野】
【０００１】
本発明は、建築施工支援装置、建築施工支援方法及びプログラムに関する。
【背景技術】
【０００２】
従来、建築工事、土木工事等の施工を支援するものの一例として、施工支援システムが知られている（例えば、特許文献１参照。）。この施工支援システムは、建築物のモデル化を行うことにより、建築モデルを利用して行われる建築工事の施工に関連する各種作業を省力化することができるものである。
【特許文献１】特開２０００−２５０９６５号公報
【発明の開示】
【発明が解決しようとする課題】
【０００３】
ところで、建築施工においては、施工支援システムによって作図される建築図面は、通常、各部の構造図とその構造を構成する鉄筋、型枠、コンクリート等のリストが表示されているだけである。そのため、建築現場における具体的な施工図は別個作成しなければならず、更に、積算においても、施工図から必要な部材数を抽出する必要があったため、施工図の作成や積算に手間がかかるものとなっていた。
【０００４】
そこで、本発明の課題は、施工図の作成や積算を容易に行うことができる建築施工支援装置、建築施工支援方法及びプログラムを提供することにある。
【課題を解決するための手段】
【０００５】
以上の課題を解決するため、請求項１に記載の発明は、例えば、図１に示すように、建物の建築施工を支援する建築施工支援装置（例えば、建築施工支援装置１００）であって、建築施工する建物の仕様を設定する建物仕様設定手段（例えば、ＣＰＵ１、ＲＯＭ３）と、前記建物仕様設定手段により設定された建物の仕様に基づいて、当該建物の建築に必要な部材の仕様を設定する部材仕様設定手段（例えば、ＣＰＵ１、ＲＯＭ３）と、前記建物の仕様に基づいて、前記建物を建築施工する際の施工図を作成する作図手段（例えば、ＣＰＵ１、ＲＯＭ３）と、前記作図手段により作成された施工図における部材の数量と前記部材仕様設定手段により設定された部材の仕様とに基づいて前記建物の躯体数量についての積算を行う躯体数量積算手段（例えば、ＣＰＵ１、ＲＯＭ３）と、を備えることを特徴とする。
【０００６】
請求項１に記載の発明によれば、建物仕様設定手段が建築施工する建物の仕様を設定し、部材仕様設定手段が設定された建物の仕様に基づいて、当該建物の建築に必要な部材の仕様を設定する。更に、作図手段が建物の仕様に基づいて、建物を建築施工する際の施工図を作成し、躯体数量積算手段が作成された施工図における部材の数量と部材仕様設定手段により設定された部材の仕様とに基づいて建物の躯体数量についての積算を行う。
よって、一つの支援装置で施工図の作成や積算を行うことができるので、施工図の作成や積算を容易に行うことができる。
【０００７】
請求項２に記載の発明は、請求項１に記載の建築施工支援装置において、例えば、図１に示すように、前記建物仕様設定手段は、鉄筋の定着及び継手に関するデータ、コンクリートに関するデータ、型枠に関するデータ、鉄筋の仕様番号と建物の各階毎に標準で使用する鉄筋の種類からなる鉄筋データの少なくとも一つのデータを入力するデータ入力手段（例えば、入力部４）と、前記データ入力手段により入力されたデータを記憶するデータ記憶手段（例えば、建物仕様データ記憶部３１）と、を備えることを特徴とする。
【０００８】
請求項２に記載の発明によれば、データ入力手段によりデータ記憶手段に記憶された鉄筋の定着及び継手に関するデータ、コンクリートに関するデータ、型枠に関するデータ、鉄筋の仕様番号と建物の各階毎に標準で使用する鉄筋の種類データからなる鉄筋データの少なくとも一つのデータを入力すると、入力されたデータはデータ記憶手段に記憶される。これにより、部材仕様設定手段による必要な部材の仕様設定時にこれらのデータを考慮することができるので、施工図の作成や積算の容易化に寄与させることができる。
【０００９】
請求項３に記載の発明は、請求項１又は２に記載の建築施工支援装置において、例えば、図１に示すように、前記部材仕様設定手段は、前記建物の柱の構築に必要な柱部材データ、前記建物の梁の構築に必要な梁部材データ、前記建物の床版の構築に必要な床版部材データ、前記建物の壁の構築に必要な壁部材データ、前記建物の開口部の構築に必要な開口部データの少なくとも一つの部材データを入力する部材データ入力手段（例えば、入力部４）と、前記部材データ入力手段により入力された部材データを記憶する部材データ記憶手段（例えば、部材データ記憶部３２）と、を備えることを特徴とする。
【００１０】
請求項３に記載の発明によれば、部材データ入力手段により建物の柱、梁、床版、壁、開口部の構築に必要な部材データが入力されると、入力された柱部材データ、梁部材データ、床版部材データ、壁部材データ、開口部データは部材データ記憶手段に記憶される。これにより、必要な部材データとして柱、梁、床版、壁、開口部のデータを設定することができるので、施工図の作成や積算の容易化に寄与させることができる。
【００１１】
請求項４に記載の発明は、請求項１〜３の何れか一項に記載の建築施工支援装置において、例えば、図１に示すように、建物の建築施工に必要な部材と当該部材の仕様とが対応付けられて記憶されている部材リスト記憶手段（例えば、部材リスト記憶部３４）を備え、前記部材仕様設定手段は、前記部材リスト記憶手段に記憶された所定の部材の仕様を選択することにより当該部材の仕様設定を行うことを特徴とする。
【００１２】
請求項４に記載の発明によれば、建物の建築施工に必要な部材と当該部材の仕様とが対応付けられて記憶されている部材リスト記憶手段に記憶された所定の部材の仕様を選択することにより当該部材の仕様設定が行われる。
よって、予め必要な部材とその仕様とをリストアップしておくことにより、建築施工時に施工図から必要な部材をリストアップする必要がなくなり、建築施工現場での作業効率を向上させることができる。
【００１３】
請求項５に記載の発明は、請求項１〜４の何れか一項に記載の建築施工支援装置において、例えば、図１に示すように、前記作図手段は、前記建物の仕様に基づいて、前記部材仕様設定手段により仕様が設定された部材を配置して積算図を作図し、この積算図を前記施工図に変換することを特徴とする。
【００１４】
請求項５に記載の発明によれば、建物の仕様に基づいて、部材仕様設定手段により仕様が設定された部材を配置して積算図が作図され、この積算図が施工図に変換される。これにより、施工時に積算図から施工図に書き換えなくても、作図手段が変換してくれるので施工時のユーザの負担を軽減することができる。
【００１５】
請求項６に記載の発明は、例えば、図２に示すように、建物の建築施工を支援する建築施工支援方法であって、建築施工する建物の仕様を設定する建物仕様設定工程と、前記建物仕様設定工程により設定された建物の仕様に基づいて、当該建物の建築に必要な部材の仕様を設定する部材仕様設定工程と、前記建物の仕様に基づいて、前記建物を建築施工する際の施工図を作成する作図工程と、前記作図工程により作成された施工図における部材の数量と前記部材仕様設定工程により設定された部材の仕様とに基づいて前記建物の躯体数量についての積算を行う躯体数量積算工程と、を備えることを特徴とする。
【００１６】
請求項６に記載の発明によれば、建物仕様設定工程において、建築施工する建物の仕様を設定し、部材仕様設定工程において、設定された建物の仕様に基づいて、当該建物の建築に必要な部材の仕様を設定する。更に、作図工程において、建物の仕様に基づいて、建物を建築施工する際の施工図を作成し、躯体数量積算工程において、作成された施工図における部材の数量と部材仕様設定工程において設定された部材の仕様とに基づいて建物の躯体数量についての積算を行う。
よって、一つの支援装置で施工図の作成や積算を行うことができるので、施工図の作成や積算を容易に行うことができる。
【００１７】
請求項７に記載の発明は、例えば、図１に示すように、プログラムであって、コンピュータに、建築施工する建物の仕様を設定する建物仕様設定機能（例えば、建物仕様設定プログラム３３ａ）と、前記建物仕様設定機能により設定された建物の仕様に基づいて、当該建物の建築に必要な部材の仕様を設定する部材仕様設定機能（例えば、部材仕様設定プログラム３３ｂ）と、前記建物の仕様に基づいて、前記建物を建築施工する際の施工図を作成する作図機能（例えば、作図プログラム３３ｃ）と、前記作図機能により作成された施工図における部材の数量と前記部材仕様設定機能により設定された部材の仕様とに基づいて前記建物の躯体数量についての積算を行う躯体数量積算機能（例えば、躯体数量積算プログラム３３ｄ）と、を実現させることを特徴とする。
【００１８】
請求項７に記載の発明によれば、建物仕様設定機能が建築施工する建物の仕様を設定し、部材仕様設定機能が設定された建物の仕様に基づいて、当該建物の建築に必要な部材の仕様を設定する。更に、作図機能が建物の仕様に基づいて、建物を建築施工する際の施工図を作成し、躯体数量積算機能が作成された施工図における部材の数量と部材仕様設定機能により設定された部材の仕様とに基づいて建物の躯体数量についての積算を行う。
よって、一つの支援装置で施工図の作成や積算を行うことができるので、施工図の作成や積算を容易に行うことができる。
【発明の効果】
【００１９】
請求項１に記載の発明によれば、建物仕様設定手段が建築施工する建物の仕様を設定し、部材仕様設定手段が設定された建物の仕様に基づいて、当該建物の建築に必要な部材の仕様を設定する。更に、作図手段が建物の仕様に基づいて、建物を建築施工する際の施工図を作成し、躯体数量積算手段が作成された施工図における部材の数量と部材仕様設定手段により設定された部材の仕様とに基づいて建物の躯体数量についての積算を行う。
よって、一つの支援装置で施工図の作成や積算を行うことができるので、施工図の作成や積算を容易に行うことができる。
【００２０】
請求項２に記載の発明によれば、データ入力手段によりデータ記憶手段に記憶された鉄筋の定着及び継手に関するデータ、コンクリートに関するデータ、型枠に関するデータ、鉄筋の仕様番号と建物の各階毎に標準で使用する鉄筋の種類データからなる鉄筋データの少なくとも一つのデータを入力すると、入力されたデータはデータ記憶手段に記憶される。これにより、部材仕様設定手段による必要な部材の仕様設定時にこれらのデータを考慮することができるので、施工図の作成や積算の容易化に寄与させることができる。
【００２１】
請求項３に記載の発明によれば、部材データ入力手段により建物の柱、梁、床版、壁、開口部の構築に必要な部材データが入力されると、入力された柱部材データ、梁部材データ、床版部材データ、壁部材データ、開口部データはデータ記憶手段に記憶される。これにより、必要な部材データとして柱、梁、床版、壁、開口部のデータを設定することができるので、施工図の作成や積算の容易化に寄与させることができる。
【００２２】
請求項４に記載の発明によれば、建物の建築施工に必要な部材と当該部材の仕様とが対応付けられて記憶されている部材リスト記憶手段に記憶された所定の部材の仕様を選択することにより当該部材の仕様設定が行われる。
よって、予め必要な部材とその仕様とをリストアップしておくことにより、建築施工時に施工図から必要な部材をリストアップする必要がなくなり、建築施工現場での作業効率を向上させることができる。
【００２３】
請求項５に記載の発明によれば、建物の仕様に基づいて、部材仕様設定手段により仕様が設定された部材を配置して積算図が作図され、この積算図が施工図に変換される。これにより、施工時に積算図から施工図に書き換えなくても、作図手段が変換してくれるので施工時のユーザの負担を軽減することができる。
【００２４】
請求項６に記載の発明によれば、建物仕様設定工程において、建築施工する建物の仕様を設定し、部材仕様設定工程において、設定された建物の仕様に基づいて、当該建物の建築に必要な部材の仕様を設定する。更に、作図工程において、建物の仕様に基づいて、建物を建築施工する際の施工図を作成し、躯体数量積算工程において、作成された施工図における部材の数量と部材仕様設定工程において設定された部材の仕様とに基づいて建物の躯体数量についての積算を行う。
よって、一つの支援装置で施工図の作成や積算を行うことができるので、施工図の作成や積算を容易に行うことができる。
【００２５】
請求項７に記載の発明によれば、建物仕様設定機能が建築施工する建物の仕様を設定し、部材仕様設定機能が設定された建物の仕様に基づいて、当該建物の建築に必要な部材の仕様を設定する。更に、作図機能が建物の仕様に基づいて、建物を建築施工する際の施工図を作成し、躯体数量積算機能が作成された施工図における部材の数量と部材仕様設定機能により設定された部材の仕様とに基づいて建物の躯体数量についての積算を行う。
よって、一つの支援装置で施工図の作成や積算を行うことができるので、施工図の作成や積算を容易に行うことができる。
【発明を実施するための最良の形態】
【００２６】
以下、図面を参照して本発明の実施の形態における建築施工支援装置、建築施工支援方法及びプログラムについて詳細に説明する。
図１に示すように、建築施工支援装置１００には、各種処理の制御を行うＣＰＵ（Central Processing Unit）１、ＣＰＵ１の作業エリアとなるＲＡＭ（Random Access Memory）２、ＣＰＵ１によって起動されるプログラムやデータ等が記憶されたＲＯＭ３、ユーザにより入力データ等が入力される入力部４、処理された情報を出力する出力部５等が備えられている。
【００２７】
＜ＣＰＵの機能＞
ＣＰＵ１は、ＲＯＭ３に記憶されている各種プログラムをＲＡＭ２に展開する。また、各種指示信号や入力部４から入力される入力データ等に応じて、プログラムに従って、各種処理を実行する。また、処理結果を、一時的にＲＡＭ２に記憶させるとともに、出力部５に出力する。
【００２８】
具体的に、例えば、ＣＰＵ１は、建築施工する建物の仕様を設定する建物仕様設定手段として機能し、建築施工にあたり、必要な部材の仕様を設定する部材仕様設定手段として機能する。また、ＣＰＵ１は、建物の仕様に基づいて、仕様が設定された部材を配置し、建物を建築施工する際の施工図を作成する作図手段として機能し、作成された施工図における部材の数量と部材仕様設定手段により設定された部材の仕様とに基づいて建物の躯体数量についての積算を行う躯体数量積算手段として機能する。
【００２９】
＜ＲＡＭの機能＞
ＲＡＭ２には、ＲＯＭ３に格納されたプログラムをＣＰＵ１が実行する際に、各種プログラムを展開するプログラム格納領域が形成されている。また、ＲＡＭ２には、ＣＰＵ１が実行する処理に係わるデータが一時的に記憶される記憶領域が形成されている。また、入力指示と入力データとによって処理される作業領域等が形成されている。
【００３０】
＜ＲＯＭの機能＞
ＲＯＭ３には、建築施工する建物の仕様についてのデータが記憶されるデータ記憶手段としての建物仕様データ記憶部３１、建築施工に必要な部材についてのデータが記憶される部材データ記憶手段としての部材データ記憶部３２、ＣＰＵ１が各種処理を行うためのプログラムが記憶されるプログラム記憶部３３、建物の建築施工に必要な部材と当該部材の仕様とが対応付けられて記憶されている部材リスト記憶手段としての部材リスト記憶部３４等が備えられている。
【００３１】
＜建築仕様データ記憶部＞
建物仕様データ記憶部３１には、建物概要に関するデータを記憶する建物概要データ記憶エリア３１ａ、鉄筋の定着及び継手に関するデータを記憶する鉄筋定着継手データ記憶エリア３１ｂ、コンクリートに関するデータを記憶するコンクリートデータ記憶エリア３１ｃ、型枠に関するデータを記憶する型枠データ記憶エリア３１ｄ、鉄筋定着継手データ記憶エリア３１ｂに記憶させた鉄筋の仕様番号と各階毎に標準で使用する鉄筋を設定する鉄筋データ記憶エリア３１ｅ等が形成されている。
【００３２】
建物概要データ記憶エリア３１ａには、施工する建物の建築面積、延床面積、各階の床面積、各階の階高等が記憶される。
鉄筋定着継手データ記憶エリア３１ｂには、設計図書の鉄筋コンクリート構造標準配筋図の鉄筋の定着・圧接及び重ね継手の長さの欄を元に、コンクリートの設計基準強度毎に入力された鉄筋の規格、種類、定着、継手の数値、コンクリートの設計基準強度の種類等が記憶される。鉄筋定着継手データ記憶エリア３１ｂには、コンクリートの設計基準強度の初期設定として、ＪＩＳ規格で定められた２１Ｎ（普通コンクリート）等が記憶されており、ユーザによって入力されたその他の設計基準強度のデータも記憶できるようにされている。
コンクリートデータ記憶エリア３１ｃには、鉄筋定着継手データ記憶エリア３１ｂに記憶させたコンクリートの設計基準強度の種類から選択された各階毎に標準で使用するコンクリートの種類、ユーザに設定されたコンクリートの仕様が記憶される。
型枠データ記憶エリア３１ｄには、設定された型枠の種類、各階毎に標準で使用する型枠の仕様が記憶される。
鉄筋データ記憶エリア３１ｅには、鉄筋定着継手データ記憶エリア３１ｂに記憶させた鉄筋の規格や種類等の数値、各階毎に標準で使用する鉄筋の種類が記憶される。
【００３３】
＜部材データ記憶部＞
部材データ記憶部３２には、ユーザに設定された、柱の構築に必要な部材データを記憶する柱データ記憶エリア３２ａ、梁の構築に必要な部材データを記憶する梁データ記憶エリア３２ｂ等が形成されている。
柱データ記憶エリア３２ａには、ユーザに設定された、柱の配置階の範囲、柱の記号、柱の形状、柱のサイズ等が記憶される。また、柱データ記憶エリア３２ａには、柱脚の主筋の鉄筋の仕様、鉄筋の径、隅の主筋の本数、隅以外の縦方向及び横方向の主筋の数等が記憶される。ここで、柱頭と柱脚の主筋の本数が異なる場合には、ユーザに設定された柱頭の鉄筋の仕様、本数も併せて記憶される。更に、柱脚のフープ筋、メッシュ筋、ダイヤフープ筋、たばね筋のそれぞれについて鉄筋の仕様、鉄筋の径、鉄筋のピッチを設定した場合には、これらも併せて記憶される。
【００３４】
梁データ記憶エリア３２ｂには、ユーザに設定された、梁の配置階の範囲、梁の記号、基礎梁か否かの指示、片持梁か否かの指示、寸法及び配筋が部位毎に異なるか否かの指示等が記憶される。また、梁データ記憶エリア３２ｂには、上筋、下筋及び腹筋のそれぞれの鉄筋の本数、鉄筋の仕様、鉄筋の径等が記憶される。また、梁データ記憶エリア３２ｂには、ユーザに設定されたスターラップの縦方向の鉄筋の本数、鉄筋の仕様、鉄筋の径等が記憶される。更に、梁データ記憶エリア３２ｂには、ユーザに設定された巾止筋・腹筋の鉄筋の仕様、鉄筋の径、ピッチ等が記憶される。
ここで、寸法及び配筋が部位毎に異なる場合には、ユーザに設定されたハンチ筋のタイプ、吊り上筋の仕様、径、ハンチのしぼり部一箇所あたりの本数等も併せて記憶される。
【００３５】
＜プログラム記憶部＞
プログラム記憶部３３には、建物の建築施工を支援するために必要な処理を実現させる各種プログラムが記憶されている。具体的には、例えば、建築施工する建物の仕様を設定する建物仕様設定プログラム３３ａ、建築施工にあたり、必要な部材の仕様を設定する部材仕様設定プログラム３３ｂ、建物の仕様に基づいて、必要な部材を配置し、建物を建築施工する際の施工図を作成する作図プログラム３３ｃ、作図プログラム３３ｃにより作成された施工図における部材の数量と部材仕様設定プログラム３３ｂにより設定された部材の仕様とに基づいて建物の躯体数量についての積算を行う積算を行う躯体数量積算プログラム３３ｄ等が記憶されている。
【００３６】
＜部材リスト記憶部＞
部材リスト記憶部３４は、建物の建築施工に必要な部材と当該部材の仕様とが対応付けられて記憶されている。具体的には、ユーザに設定された部材と、ユーザによって設定された各部材の鉄筋、コンクリート、型枠の仕様とがリストにされて記憶されている。
【００３７】
＜入力部＞
入力部４は、鉄筋の定着及び継手に関するデータ、コンクリートに関するデータ、型枠に関するデータ、鉄筋の仕様番号と建物の階毎に標準で使用する鉄筋の種類からなる鉄筋データの少なくとも一つのデータを入力するデータ入力手段として機能するとともに、建物の柱の構築に必要な柱部材データ、建物の梁の構築に必要な梁部材データの少なくとも一つのデータを入力する部材データ入力手段として機能する。入力部４は、例えば、キーボードや、マウスなどのポインティングデバイス等を備えて構成されている。入力部４により、建物仕様データ記憶部３１や部材データ記憶部３２に記憶させるデータを入力することができる。
【００３８】
＜出力部＞
出力部５は、例えば、ＣＲＴ（Cathode Ray Tube）、ＬＣＤ（Liquid Crystal Display）等の表示装置や、プリンタ等により構成されている。表示装置により、ＣＰＵ１の表示制御に従い、各種データを入力する入力画面などを表示画面上に表示できる。また、プリンタにより、ＣＰＵ１が作図プログラム３３ｃを実行することにより作成する施工図や躯体数量積算プログラム３３ｄを実行することにより作成された積算表の画像データに基づき、施工図や積算表を印刷できる。
【００３９】
なお、ＲＯＭ３に記憶されるプログラム、データなどは、その一部または全部が、他の装置からＬＡＮや通信回線網などを介して、建築施工支援装置１００に設けられる図示しない伝送制御部により受信されてＲＯＭ３に記録されるものとしても良い。また、外付けの記憶媒体によりＲＯＭ３にプログラム等を書き込むものであっても良い。
【００４０】
＜建物の建築施工支援方法＞
次に、建築施工支援装置１００を用いた建物の建築施工支援方法について説明する。
図２に示すように、ユーザが建築施工支援装置１００を起動させると、ＣＰＵ１は図３に示すようなオープニング画面Ｄ１を出力部５の表示画面に表示させる（ステップＳ１）。ここで、ユーザが入力部４を介して躯体積算アイコンＩ０をクリックすると（ステップＳ２；ＹＥＳ）、ＣＰＵ１は、図４に示すように、施工を行う建物の階高入力画面Ｄ２を出力部５に表示させる。一方、ユーザによって躯体積算アイコンＩ０がクリックされなければ（ステップＳ２；ＮＯ）、躯体積算アイコンＩ０がクリックされるまでオープニング画面Ｄ１のままである。ここで、ユーザが躯体積算アイコンＩ０をクリックしないときは、ユーザが鉄筋の数量を算出しない場合であるため、このような場合には、ユーザがＣＡＤアイコンＩ１をクリックすることにより、ＣＰＵ１はＣＡＤ画面（後述する）を表示させる。
【００４１】
階高入力画面Ｄ２では、ユーザは、建物の塔屋階数を入力欄Ｃ０に入力し、地上階数を入力欄Ｃ１に入力し、地下階数を入力欄Ｃ２に入力するとともに、各階の階高を入力欄Ｃ３に入力する（ステップＳ３）。階高の入力が終了し、ユーザが階高入力画面Ｄ２上で実行アイコンＩ２をクリックすると、ＣＰＵ１は、図５に示すように、特記仕様設定画面Ｄ３を出力部５に表示させる。ここでは、事前に登録している特記仕様を呼び込んで各仕様を設定したり、独自に設定した各仕様を特記仕様として登録することができる。ここで、事前に登録している特記仕様（図５においては、ＲＣ構造配筋標準）に設定する場合、ユーザは、表示された特記仕様の名称をクリックし、実行アイコンＩ３をクリックすると、ＣＰＵ１はその旨をＲＡＭ２に記憶させる。
【００４２】
次いで、ＣＰＵ１は建物仕様設定プログラム３３ａを実行することにより、図６に示すような指示入力画面Ｄ４を出力部５の表示画面に表示させ、特記仕様の設定を行う（ステップＳ４）。指示入力画面Ｄ４では、特記仕様入力バーＢ１、部材リストバーＢ２、躯体数量積算バーＢ３等が表示されており、ユーザが特記仕様入力バーＢ１をクリックすると、ＲＣ構造配筋標準に基づいた仕様設定可能な項目のリストが表示される。ユーザは、表示された項目のリストの全てについて設定を行うことにより、建物の仕様設定を行う。
【００４３】
１．建物の仕様設定
ここで、建物の仕様設定方法について説明する。なお、ここでは、特記仕様入力バーＢ１をクリックして表示された項目のうち、建物概要、鉄筋の定着及び継手、コンクリート仕様、型枠仕様、鉄筋仕様について説明する。
（１）建物概要
ユーザが指示入力画面Ｄ４で建物概要の項目を選択すると、ＣＰＵ１は、図７に示すように、建物概要設定画面Ｄ５を出力部５の表示画面に表示させる。建物概要設定画面Ｄ５では、ユーザは、建築面積を入力欄Ｃ４に入力し、延床面積を入力欄Ｃ５に入力する。また、各階の床面積を入力欄Ｃ６に入力する。入力した値で良ければ、保存アイコンＩ４をクリックすることにより、ＣＰＵ１は、入力された値を建物仕様データ記憶部３１内の建物概要データ記憶エリア３１ａに記憶させる。
【００４４】
（２）鉄筋の定着及び継手
ユーザが指示入力画面Ｄ４で鉄筋の定着及び継手の項目を選択すると、図８に示すように、ＣＰＵ１は、鉄筋定着継手設定画面Ｄ６を出力部５の表示画面に表示させる。鉄筋定着継手設定画面Ｄ６では、ユーザは、コンクリートの設計基準強度を入力欄Ｃ７に入力する。また、鉄筋定着継手設定画面Ｄ６では、ユーザは、鉄筋の規格を入力欄Ｃ８に入力する。鉄筋の規格の入力にあたっては、規格を示す数値の前に鉄筋の種類、例えば、丸鋼ならＳＲ、異形鋼ならＳＤを付して入力する。更に、コンクリートの設計基準強度に対するフック無しの重ね継手の鉄筋径の倍数（Ｌ１）を入力欄Ｃ９に入力し、フック無しの定着の一般部分の鉄筋径の倍数（Ｌ２）を入力欄Ｃ１０に入力し、フック無しの定着の下端筋の小梁の鉄筋径の倍数（Ｌ３）を入力欄Ｃ１１に入力し、フック無しの定着の下端筋の床／屋根スラブの鉄筋径の倍数を入力欄Ｃ１２に入力し、定着の寸法を入力欄Ｃ１３に入力する。フック付きの鉄筋についてもフック無しの鉄筋と同様に入力する。また、他の鉄筋の規格、コンクリートの強度毎の鉄筋の規格を入力する。
全ての項目を入力した後、ユーザが保存アイコンＩ５をクリックすることにより、ＣＰＵ１は、入力された値を建物仕様データ記憶部３１内の鉄筋定着継手データ記憶エリア３１ｂに記憶させる。
【００４５】
（３）コンクリート仕様
ユーザが指示入力画面Ｄ４でコンクリート仕様の項目を選択すると、図９に示すように、ＣＰＵ１は、コンクリート設定画面Ｄ７を出力部５の表示画面に表示させる。コンクリート設定画面Ｄ７では、鉄筋定着継手設定画面Ｄ６で設定したコンクリート強度と種類が表示欄Ｆ１に表示されており、ユーザが各階の各部材（基礎、基礎梁、・・・）の入力欄（Ｃ１４〜Ｃ２２）にコンクリート強度の仕様番号（図９においては０）を設定する。図９においては、コンクリートの強度と種類が１種類しかないため、全ての部材に設定された仕様番号は０となる。なお、「全体」と記載された入力欄Ｃ２３に仕様番号を入力するとコンクリートを打設する階毎に同じ仕様が自動的に設定される。
全ての項目を入力した後、ユーザが保存アイコンＩ６をクリックすることにより、ＣＰＵ１は、入力された値を建物仕様データ記憶部３１内のコンクリートデータ記憶エリア３１ｃに記憶させる。
【００４６】
（４）型枠仕様
ユーザが指示入力画面Ｄ４で型枠仕様の項目を選択すると、図１０に示すように、ＣＰＵ１は、型枠設定画面Ｄ８を出力部５の表示画面に表示させる。型枠設定画面Ｄ８では、ユーザは、使用する型枠の種類を入力欄Ｃ３０に入力する。ここで、入力欄Ｃ３０に入力された型枠の種類には、それぞれ仕様番号が付される。また、型枠設定画面Ｄ８では、ユーザが各階の各部材（基礎、基礎梁、・・・）の入力欄（Ｃ３１〜Ｃ３９）に型枠の仕様番号（図１０においては０又は１）を設定する。なお、「全体」と記載された入力欄Ｃ４０に仕様番号を入力すると型枠を使用する階毎に同じ仕様が自動的に設定される。
全ての項目を入力した後、ユーザが保存アイコンＩ７をクリックすることにより、ＣＰＵ１は、入力された値を建物仕様データ記憶部３１内の型枠データ記憶エリア３１ｄに記憶させる。
【００４７】
（５）鉄筋仕様
ユーザが指示入力画面Ｄ４で鉄筋仕様の項目を選択すると、図１１及び図１２に示すように、ＣＰＵ１は、鉄筋設定画面を出力部５の表示画面に表示させる。鉄筋設定画面は、鉄筋の規格別に鉄筋の太さと圧接条件を設定する鉄筋個別設定画面Ｄ９と階毎に標準で使用する鉄筋を設定する鉄筋階標準設定画面Ｄ１０とに切替可能に構成されている。
図１１に示すように、鉄筋個別設定画面Ｄ９では、ユーザは、使用する鉄筋の一つめの規格を入力欄Ｃ４５に入力するとともに、入力欄Ｃ４５に入力した鉄筋の太さの最大径を入力欄Ｃ４６に入力する。更に、使用する鉄筋の二つめの規格を入力欄Ｃ４７に入力するとともに、入力欄Ｃ４７に入力した鉄筋の太さの最小径を入力欄Ｃ４８に入力する。また、ユーザは、フック係数を入力欄Ｃ４９に入力し、ガス圧接する鉄筋の太さの最小径を入力欄Ｃ５０に入力する。
全ての項目を入力した後、ユーザが保存アイコンＩ８をクリックすることにより、ＣＰＵ１は、入力された値を建物仕様データ記憶部３１内の鉄筋データ記憶エリア３１ｅに記憶させる。
【００４８】
図１２に示すように、鉄筋階標準設定画面Ｄ１０では、鉄筋個別設定画面Ｄ９で設定された鉄筋の一覧が表示欄Ｆ２に表示されており、ユーザが各階の各部材（基礎、基礎梁、・・・）の入力欄（Ｃ５５〜Ｃ６３）に鉄筋の仕様番号（図１２においては０）を設定する。図１２においては、鉄筋が１種類しかないため、全ての部材に設定された仕様番号は０となる。なお、「全体」と記載された入力欄Ｃ６４に仕様番号を入力すると、鉄筋を使用する階毎に同じ仕様が自動的に設定される。
全ての項目を入力した後、ユーザが保存アイコンＩ９をクリックすることにより、ＣＰＵ１は、入力された値を建物仕様データ記憶部３１内の鉄筋データ記憶エリア３１ｅに記憶させる。
【００４９】
２．建物の部材仕様設定
建物の特記仕様の設定後、ＣＰＵ１は、部材仕様設定プログラム３３ｂを実行することにより、建物の建築に必要な部材の仕様設定を行う（ステップＳ５）。なお、ここでは、図１３に示す指示入力画面Ｄ１１において、部材リストバーＢ２をクリックして表示された項目のうち、柱リスト、梁リスト、床版リスト、壁リスト、開口部リストにおける部材の選択ついて説明する。
（１）柱リストにおける部材の選択
ユーザが指示入力画面Ｄ１１で柱リストの項目を選択すると、ＣＰＵ１は、部材仕様設定プログラム３３ｂを実行することにより、図１４に示すように、柱部材リスト選択画面Ｄ１２を出力部５の表示画面に表示させる。柱部材リスト選択画面Ｄ１２では、ユーザは、新規設定又は修正したい番号を表示欄Ｆ３から選択し、「次へ」アイコンＩ１０をクリックする。すると、ＣＰＵ１は、図１５に示すような柱部材リスト入力画面Ｄ１３を出力部５の表示画面に表示させる。なお、柱部材リストを表示欄Ｆ３にコピーする場合には、コピーリスト欄Ｇ１にてコピー元の柱部材リストを選択するとともに、コピー先のリスト番号を選択し、実行アイコンＩ１１をクリックすると良い。
柱部材リスト入力画面Ｄ１３では、ユーザは、入力する柱の配置階範囲を入力欄Ｃ７０に入力するとともに、柱記号を入力欄Ｃ７１に入力し、柱の形状を入力欄Ｃ７２にて選択する。入力した値で良ければ、「次へ」アイコンＩ１２をクリックすることにより、ＣＰＵ１は、入力された値をＲＡＭ２に記憶させるとともに、図１６に示すような柱部材リスト入力画面Ｄ１４を出力部５の表示画面に表示させる。
【００５０】
柱部材リスト入力画面Ｄ１４では、ユーザは、主筋・フープ筋の本数が柱脚・柱頭と同じか異なるかを選択し、入力欄Ｃ７５をクリックする。また、ユーザは、柱脚の主筋の鉄筋仕様を入力欄Ｃ７６に入力し、鉄筋径を入力欄Ｃ７７に入力する。更に、ユーザは、隅の主筋の本数を入力欄Ｃ７８に入力し、隅を除いた縦方向の主筋の本数を入力欄Ｃ７９に入力し、隅を除いた横方向の主筋の本数を入力欄Ｃ８０に入力する。ここで、主筋・フープ筋の本数が柱脚・柱頭とで異なる場合には、入力欄Ｃ７５’をクリックすることにより、柱頭の主筋の鉄筋仕様を入力欄Ｃ８１に入力し、鉄筋径を入力欄Ｃ８２に入力する。更に、ユーザは、隅の主筋の本数を入力欄Ｃ８３に入力し、隅を除いた縦方向の主筋の本数を入力欄Ｃ８４に入力し、隅を除いた横方向の主筋の本数を入力欄Ｃ８５に入力する。
【００５１】
また、柱部材リスト入力画面Ｄ１４では、ユーザは、主筋のリスト入力に続いて柱脚のフープ筋の鉄筋仕様を入力欄Ｃ８６に入力し、鉄筋径を入力欄Ｃ８７に入力し、鉄筋の配置ピッチを入力欄Ｃ８８に入力する。ここで、鉄筋仕様として入力欄Ｃ８６に「９」を指定すると、スパイラルフープ筋として認識するようになっている。ここで、主筋・フープ筋の本数が柱脚・柱頭とで同じ場合には、柱脚でピッチを入力すると、自動的に柱頭には同じピッチが設定されるとともに、上梁間及び下梁間には柱脚のピッチに対して１．５倍のピッチが設定される。また、主筋・フープ筋の本数が柱脚・柱頭とで異なる場合には、柱頭のフープ筋の鉄筋仕様を入力欄Ｃ８９に入力し、鉄筋径を入力欄Ｃ９０に入力し、鉄筋の配置ピッチを入力欄Ｃ９１に入力する。更に、ユーザは、柱のサイズを入力欄Ｃ９２及び入力欄Ｃ９３に入力する。
全ての項目を入力した後、ユーザが「次へ」アイコンＩ１３をクリックすることにより、ＣＰＵ１は、図１７に示すような柱部材リスト入力画面Ｄ１５を出力部５の表示画面に表示させる。
【００５２】
柱部材リスト入力画面Ｄ１５では、ユーザは、メッシュフープ筋のリスト入力を行う。柱部材リスト入力画面Ｄ１５では、特記仕様入力バーＢ１で設定した柱の配筋仕様が表示欄Ｆ４に表示される。この仕様と異なる場合には、他の配筋仕様を選ぶことも可能である。また、ユーザは、メッシュフープ筋の鉄筋仕様を入力欄Ｃ９５に入力し、鉄筋径を入力欄Ｃ９６に入力し、縦方向のメッシュフープ筋の本数を入力欄Ｃ９７に入力し、横方向のメッシュフープ筋の本数を入力欄Ｃ９８に入力する。更に、ユーザは、鉄筋の配置ピッチを入力欄Ｃ９９に入力する。ここで、柱脚でピッチを入力すると、自動的に柱頭には同じピッチが設定されるとともに、上梁間及び下梁間には柱脚のピッチに対して１．５倍のピッチが設定される。
全ての項目を入力した後、ユーザが「次へ」アイコンＩ１４をクリックすることにより、ＣＰＵ１は、図１８に示すような柱部材リスト入力画面Ｄ１６を出力部５の表示画面に表示させる。なお、メッシュフープ筋が不要の場合には、入力欄Ｃ９５〜Ｃ９９に入力することなく、「次へ」アイコンＩ１４をクリックすればよい。
【００５３】
柱部材リスト入力画面Ｄ１６では、ユーザは、ダイヤフープ筋のリスト入力を行う。柱部材リスト入力画面Ｄ１６では、４種類の形状の中からダイヤフープ筋のタイプを選択し、選択したダイヤフープ筋のタイプの横に設けられた入力欄Ｃ１００をクリックする。また、ユーザは、ダイヤフープ筋の鉄筋仕様を入力欄Ｃ１０１に入力し、鉄筋径を入力欄Ｃ１０２に入力し、鉄筋の配置ピッチを入力欄Ｃ１０３に入力する。ここで、格子状のダイヤフープ筋（図１８における最下段の形状）を選択した場合、ダイヤフープ筋の縦方向の本数を入力欄Ｃ１０４に入力し、ダイヤフープ筋の横方向の本数を入力欄Ｃ１０５に入力する。
全ての項目を入力した後、ユーザが「次へ」アイコンＩ１５をクリックすることにより、ＣＰＵ１は、図１９に示すような柱部材リスト入力画面Ｄ１７を出力部５の表示画面に表示させる。なお、ダイヤフープ筋が不要の場合には、入力欄Ｃ１００〜Ｃ１０５に入力することなく、「次へ」アイコンＩ１５をクリックすればよい。
【００５４】
柱部材リスト入力画面Ｄ１７では、ユーザは、たばね筋のリスト入力を行う。柱部材リスト入力画面Ｄ１７では、ユーザは、たばね筋の鉄筋仕様を入力欄Ｃ１１０に入力し、鉄筋径を入力欄Ｃ１１１に入力し、柱の断面内におけるたばね筋の本数を入力欄Ｃ１１２、Ｃ１１３に入力する。また、鉄筋の配置ピッチを入力欄Ｃ１１４に入力する。
全ての項目を入力した後、ユーザが「次へ」アイコンＩ１６をクリックすることにより、ＣＰＵ１は、図１４に示すように、再度、柱部材リスト入力画面Ｄ１２を出力部５の表示画面に表示させる。ここで、ユーザが「完了」アイコンＩ１７をクリックすると、これまでに入力された値を部材データ記憶部３２内の柱データ記憶エリア３２ａに記憶させるとともに、図１３に示すような指示入力画面Ｄ１１を出力部５の表示画面に表示させる。
【００５５】
（２）梁リストにおける部材の選択
ユーザが図１３に示す指示入力画面Ｄ１１で梁リストの項目を選択すると、ＣＰＵ１は、部材仕様設定プログラム３３ｂを実行することにより、図２０に示すように、梁部材リスト選択画面Ｄ１８を出力部５の表示画面に表示させる。梁部材リスト選択画面Ｄ１８では、ユーザは、新規設定又は修正したい番号を表示欄Ｆ５から選択し、「次へ」アイコンＩ１８をクリックする。すると、ＣＰＵ１は、図２１に示すような梁部材リスト入力画面Ｄ１９を出力部５の表示画面に表示させる。なお、梁部材リストを表示欄Ｆ５にコピーする場合には、コピーリスト欄Ｇ２にてコピー元の梁部材リストを選択するとともに、コピー先のリスト番号を選択し、実行アイコンＩ１９をクリックすると良い。
【００５６】
梁部材リスト入力画面Ｄ１９では、ユーザは、入力する梁の配置階範囲を入力欄Ｃ１２０に入力するとともに、梁記号を入力欄Ｃ１２１に入力し、基礎梁か片持梁かを入力欄Ｃ１２２にて選択する。また、ユーザは、鉄筋仕様を入力欄Ｃ１２３にて選択する。この鉄筋仕様は、例えば、入力する梁リストの寸法及び配筋が、外端・中央・内端で異なるか、全断面共通か、端部と中央が異なるかについて適切なものをユーザが選択する。
入力した値で良ければ、「次へ」アイコンＩ２０をクリックすることにより、ＣＰＵ１は、入力された値をＲＡＭ２に記憶させるとともに、図２２に示すような梁部材リスト入力画面Ｄ２０を出力部５の表示画面に表示させる。
【００５７】
梁部材リスト入力画面Ｄ２０では、ユーザは、梁の外端、中央、内端の鉄筋について入力を行う。通常、外端、中央、内端の順に入力していくが、梁部材リスト入力画面Ｄ１９で全断面共通を選択した場合には、外端のみの入力でよい。また、片持梁を指定した場合には、中央、内端の順に入力する。
ここで、鉄筋仕様を全断面共通に設定した場合について説明すると、梁部材リスト入力画面Ｄ２０では、ユーザは、上筋の鉄筋本数を入力欄Ｃ１３１に入力し、上筋の鉄筋仕様を入力欄Ｃ１３２に入力し、上筋の鉄筋径を入力欄Ｃ１３３に入力する。また、下筋の鉄筋本数を入力欄Ｃ１３４に入力し、下筋の鉄筋仕様を入力欄Ｃ１３５に入力し、下筋の鉄筋径を入力欄Ｃ１３６に入力する。更に、腹筋の鉄筋本数を入力欄Ｃ１３７に入力し、腹筋の鉄筋仕様を入力欄Ｃ１３８に入力し、腹筋の鉄筋径を入力欄Ｃ１３９に入力する。
【００５８】
また、ユーザは、スターラップの縦方向の鉄筋本数を入力欄Ｃ１４０に入力し、鉄筋仕様を入力欄Ｃ１４１に入力し、鉄筋径を入力欄Ｃ１４２に入力し、鉄筋の配置ピッチを入力欄Ｃ１４３に入力する。
更に、ユーザは、巾止筋の鉄筋仕様を入力欄Ｃ１４４に入力し、鉄筋径を入力欄Ｃ１４５に入力し、ピッチを入力欄Ｃ１４６に入力する。
全ての項目を入力した後、ユーザが「次へ」アイコンＩ２１をクリックすることにより、ＣＰＵ１は、図２０に示すように、再度、梁部材リスト入力画面Ｄ１８を出力部５の表示画面に表示させる。ここで、ユーザが「完了」アイコンＩ２２をクリックすると、これまでに入力された値を部材データ記憶部３２内の梁データ記憶エリア３２ｂに記憶させるとともに、図１３に示すような指示入力画面Ｄ１１を出力部５の表示画面に表示させる。
なお、ＣＰＵ１は、柱部材データ及び梁部材データを、ユーザが設定した鉄筋仕様等と対応付けられて部材リスト記憶部３４に記憶させるようになっている。
【００５９】
（３）床版リストにおける部材の選択
ユーザが図１３に示す指示入力画面Ｄ１１で床版リストの項目を選択すると、ＣＰＵ１は、部材仕様設定プログラム３３ｂを実行することにより、図２３に示すように、床版部材リスト選択画面Ｄ２１を出力部５の表示画面に表示させる。床版部材リスト選択画面Ｄ２１では、ユーザは、新規設定又は修正したい番号を表示欄Ｆ６から選択し、「次へ」アイコンＩ２３をクリックする。すると、ＣＰＵ１は、入力された値をＲＡＭ２に記憶させるとともに、図２４に示すような床版部材リスト入力画面Ｄ２２を出力部５の表示画面に表示させる。なお、床版部材リストを表示欄Ｆ６にコピーする場合には、コピーリスト欄Ｇ３にてコピー元の床版部材リストを選択するとともに、コピー先のリスト番号を選択し、実行アイコンＩ２４をクリックすると良い。
【００６０】
床版部材リスト入力画面Ｄ２２では、ユーザは、入力する床版の配置階範囲を入力欄Ｃ１４７に入力するとともに、床版記号を入力欄Ｃ１４８に入力し、さらに、床版の厚みをｍｍ単位で入力欄Ｃ１４９に入力する。また、ユーザは、床版のタイプが一般、土間、底盤のいずれかを入力欄Ｃ１５０にて選択する。床版のタイプを選択することにより、スラブ下の型枠の有無の自動設定等が決定される。また、ユーザは、片持ちであるか否かの指示を入力欄Ｃ１５１にて行うとともに、巾止筋の有無の指示を入力欄Ｃ１５２にて行う。
入力した値で良ければ、「次へ」アイコンＩ２５をクリックすることにより、ＣＰＵ１は、入力された値をＲＡＭ２に記憶させるとともに、図２５に示すような床版部材リスト入力画面Ｄ２３を出力部５の表示画面に表示させる。
【００６１】
床版部材リスト入力画面Ｄ２３では、ユーザは、短辺の上筋及び下筋、長辺の上筋及び下筋について入力を行う。ここで、もちあみ配筋の場合には端部のみ入力する。具体的には、短辺の上筋の仕様を入力欄Ｃ１５３に入力し、径を入力欄Ｃ１５４に入力し、ピッチを入力欄Ｃ１５５に入力する。なお、短辺の下筋、長辺の上筋及び下筋の入力についても同様である。また、ユーザは、肩筋及び端部補強筋の有無を入力欄Ｃ１５６にて選択する。入力した値で良ければ、「次へ」アイコンＩ２６をクリックすることにより、ＣＰＵ１は、入力された値をＲＡＭ２に記憶させるとともに、図２７に示すような床版部材リスト入力画面Ｄ２５を出力部５の表示画面に表示させる。
【００６２】
ただし、ユーザが床版部材リスト入力画面Ｄ２３で肩筋及び端部補強筋ありを選択した場合には、「次へ」アイコンＩ２６をクリックすることにより、ＣＰＵ１は、図２６に示すような床版部材リスト入力画面Ｄ２４を出力部５の表示画面に表示させる。ユーザは、肩筋の上筋の仕様を入力欄Ｃ１５７に入力し、径を入力欄Ｃ１５８に入力し、本数を入力欄Ｃ１５９に入力する。肩筋の下筋の入力についても同様である。また、ユーザは、片持端部補強筋の上筋の仕様を入力欄Ｃ１６０に入力し、径を入力欄Ｃ１６１に入力し、本数を入力欄Ｃ１６２に入力する。片持端部補強筋の下筋の入力についても同様である。入力した値で良ければ、「次へ」アイコンＩ２７をクリックすることにより、ＣＰＵ１は、図２７に示すような床版部材リスト入力画面Ｄ２５を出力部５の表示画面に表示させる。
【００６３】
床版部材リスト入力画面Ｄ２５では、ユーザは、ハンチの形状とハンチの部分の補強筋の設定を行う。ユーザは、ハンチの形状を入力欄Ｃ１６３にて選択し、厚さを入力欄Ｃ１６４に入力し、長さを入力欄Ｃ１６５に入力する。また、ユーザは、配筋のタイプを入力欄Ｃ１６６にて選択し、選択した配筋のタイプに応じてＡ〜Ｄ配筋の仕様を入力欄Ｃ１６７に入力し、径を入力欄Ｃ１６８に入力し、本数及びピッチを入力欄Ｃ１６９に入力する。なお、ハンチが無い場合には、入力欄Ｃ１６３〜Ｃ１６８に入力することなく、「次へ」アイコンＩ２８をクリックするとよい。
全ての項目を入力した後、ユーザが「次へ」アイコンＩ２８をクリックすることにより、ＣＰＵ１は、図２３に示すように、再度、床版部材リスト入力画面Ｄ２１を出力部５の表示画面に表示させる。ここで、ユーザが「完了」アイコンＩ２９をクリックすると、これまでに入力された値を部材データ記憶部３２内の床版データ記憶エリア３２ｃに記憶させるとともに、図１３に示すような指示入力画面Ｄ１１を出力部５の表示画面に表示させる。
【００６４】
（４）壁リストにおける部材の選択
ユーザが図１３に示す指示入力画面Ｄ１１で壁リストの項目を選択すると、ＣＰＵ１は、部材仕様設定プログラム３３ｂを実行することにより、図２８に示すように、壁部材リスト選択画面Ｄ２６を出力部５の表示画面に表示させる。壁部材リスト選択画面Ｄ２６では、ユーザは、新規設定又は修正したい番号を表示欄Ｆ７から選択し、「次へ」アイコンＩ３０をクリックする。すると、ＣＰＵ１は、入力された値をＲＡＭ２に記憶させるとともに、図２９に示すような壁部材リスト入力画面Ｄ２７を出力部５の表示画面に表示させる。なお、壁部材リストを表示欄Ｆ７にコピーする場合には、コピーリスト欄Ｇ４にてコピー元の壁部材リストを選択するとともに、コピー先のリスト番号を選択し、実行アイコンＩ３１をクリックすると良い。
【００６５】
壁部材リスト入力画面Ｄ２７では、ユーザは、入力する壁の配置階範囲を入力欄Ｃ１７０に入力するとともに、壁記号を入力欄Ｃ１７１に入力し、さらに、壁の厚みをｍｍ単位で入力欄Ｃ１７２に入力する。また、ユーザは、壁のタイプが一般壁、耐圧壁のいずれであるかを入力欄Ｃ１７３にて選択し、配筋がシングル配筋、ダブル配筋、チドリ配筋のいずれであるかを入力欄Ｃ１７４にて選択する。入力した値で良ければ、「次へ」アイコンＩ３２をクリックすることにより、ＣＰＵ１は、入力された値をＲＡＭ２に記憶させるとともに、図３０に示すような壁部材リスト入力画面Ｄ２８を出力部５の表示画面に表示させる。
【００６６】
壁部材リスト入力画面Ｄ２８では、ユーザは、縦主筋及び横主筋の鉄筋仕様、鉄筋径を入力する。壁部材リスト入力画面Ｄ２８は、壁部材リスト入力画面Ｄ２７においてダブル配筋及びチドリ配筋を選択した場合の例である。ユーザは、縦主筋（内側）の鉄筋仕様を入力欄Ｃ１７５に入力し、鉄筋径を入力欄Ｃ１７６に入力する。なお、鉄筋が二種類の場合には、入力欄Ｃ１７７及びＣ１７８にも入力する。また、ユーザは、縦主筋のピッチを入力欄Ｃ１７９に入力する。縦主筋（外側）の入力についても同様にして行う。さらに、ユーザは、横主筋（内側）の鉄筋仕様を入力欄Ｃ１８０に入力し、鉄筋径を入力欄Ｃ１８１に入力する。なお、鉄筋が二種類の場合には、入力欄Ｃ１８２及びＣ１８３にも入力する。また、ユーザは、横主筋のピッチを入力欄Ｃ１８４に入力する。横主筋（外側）の入力についても同様にして行う。さらに、ユーザは、壁末端部の縦筋の仕様を入力欄Ｃ１８５に入力し、鉄筋径を入力欄Ｃ１８６に入力し、鉄筋本数を入力欄Ｃ１８７に入力する。入力した値で良ければ、「次へ」アイコンＩ３３をクリックすることにより、ＣＰＵ１は、入力された値をＲＡＭ２に記憶させるとともに、図３１に示すような壁部材リスト入力画面Ｄ２９を出力部５の表示画面に表示させる。
【００６７】
壁部材リスト入力画面Ｄ２９では、ユーザは、開口補強筋の指定の有無及び配筋の設定を行う。ユーザは、開口寸法範囲による開口補強筋の指定をするか否かの選択を入力欄Ｃ１８８にて行う。また、ユーザは、一般の開口補強筋の入力を行う。具体的には、ユーザは、縦筋の仕様を入力欄Ｃ１８９に入力し、径を入力欄Ｃ１９０に入力し、本数を入力欄Ｃ１９１に入力する。横筋及び斜筋についても同様にして行う。
ここで、ユーザが、開口寸法範囲による開口補強筋の指定をすることを選択した場合には、ユーザは、大きな開口に対しての縦の寸法を入力欄Ｃ１９２に入力し、横の寸法を入力欄Ｃ１９３に入力する。また、ユーザは、大きな開口に対しての補強筋を入力する。具体的には、ユーザは、縦筋の仕様を入力欄Ｃ１９４に入力し、径を入力欄Ｃ１９５に入力し、本数を入力欄Ｃ１９６に入力する。横筋及び斜筋についても同様にして行う。なお、開口寸法範囲の設定が二つある場合には、両方の設定についての入力を行う。入力した値で良ければ、「次へ」アイコンＩ３４をクリックすることにより、ＣＰＵ１は、入力された値をＲＡＭ２に記憶させるとともに、図３２に示すような壁部材リスト入力画面Ｄ３０を出力部５の表示画面に表示させる。
【００６８】
壁部材リスト入力画面Ｄ３０では、ユーザは、巾止筋の設定を行う。この巾止筋の設定は、ダブル配筋、チドリ配筋の場合にのみ行われる。ユーザは、巾止筋の仕様を入力欄Ｃ１９７に入力し、径を入力欄Ｃ１９８に入力し、縦のピッチを入力欄Ｃ１９９に入力し、横のピッチを入力欄Ｃ２００に入力する。入力した値で良ければ、「次へ」アイコンＩ３５をクリックすることにより、ＣＰＵ１は、入力された値をＲＡＭ２に記憶させるとともに、図３３に示すような壁部材リスト入力画面Ｄ３１を出力部５の表示画面に表示させる。
【００６９】
壁部材リスト入力画面Ｄ３１では、ユーザは、縦筋の主筋の補強の設定を行う。この縦筋の主筋の補強の設定は、縦筋の主筋が径１０ｍｍの鉄筋を入力した場合にのみ行われる。ユーザは、縦主筋の５本に１本は径１３ｍｍに変更するか否かを入力欄Ｃ２０１にて選択する。
全ての項目を入力した後、ユーザが「次へ」アイコンＩ３６をクリックすることにより、ＣＰＵ１は、図２８に示すように、再度、壁部材リスト入力画面Ｄ２６を出力部５の表示画面に表示させる。ここで、ユーザが「完了」アイコンＩ３７をクリックすると、これまでに入力された値を部材データ記憶部３２内の壁データ記憶エリア３２ｄに記憶させるとともに、図１３に示すような指示入力画面Ｄ１１を出力部５の表示画面に表示させる。
【００７０】
（５）開口リストにおける部材の選択
ユーザが図１３に示す指示入力画面Ｄ１１で開口リストの項目を選択すると、ＣＰＵ１は、部材仕様設定プログラム３３ｂを実行することにより、図３４に示すように、開口リスト選択画面Ｄ３２を出力部５の表示画面に表示させる。開口リスト選択画面Ｄ３２では、ユーザは、開口の記号を入力欄Ｃ２０２に入力し、開口の幅を入力欄Ｃ２０３に入力し、開口の高さを入力欄Ｃ２０４に入力する。また、ユーザは、各部の寸法を入力欄Ｃ２０５，Ｃ２０６，Ｃ２０７に入力する。
全ての項目を入力した後、ユーザが「完了」アイコンＩ３８をクリックすると、これまでに入力された値を部材データ記憶部３２内の開口データ記憶エリア３２ｅに記憶させる。
【００７１】
３．ＣＡＤによる建物の施工図の作成
建物の部材リストの入力後、ＣＰＵ１は、作図プログラム３３ｃを実行することにより、図３５に示すように、出力部５の表示画面にＣＡＤ画面Ｄ３３を表示させる（ステップＳ６）。ＣＡＤ画面Ｄ３３には、上述の方法でユーザが設定した積算データに基づいて作成された積算図が表示される。表示された積算図は有効寸法（リストの寸法）で開口部が配置されているが、施工時においては、有効寸法ではサッシの取り付け作業ができないため、上下左右のそれぞれにサッシを取り付けるための幅を考慮した施工図を作成する必要がある。そこで、ユーザは、ＣＡＤ画面Ｄ３３上で積算図から施工図への変換を行う。
【００７２】
ここで、積算図から施工図に変換する際の開口編集方法について説明する。図３５に示すように、ユーザがメニューバーＢの壁アイコンＩ４０をクリックすると、ＣＰＵ１は、図３６に示すように、メニューバーＢの下の階層のメニューリストＬ４０をＣＡＤ画面３２上に表示させる。そして、ユーザがメニューリストＬ４０の中から「編集」領域Ｌ４１を選択すると、ＣＰＵ１は、「編集」領域Ｌ４１の下の階層のメニューリストＬ５０を表示させる。ユーザは、メニューリストＬ５０の中から「編集」領域Ｌ５１を選択すると、ＣＰＵ１は、図３７に示すように、出力部５の表示画面に開口編集画面Ｄ３５を表示させる。
【００７３】
開口編集画面Ｄ３５では、ユーザは、編集したい開口部を選択し、「普通」か「抱き」のいずれかを入力欄Ｃ２１０により選択する。そして、「抱き」を選択した場合には、ユーザは、各部の寸法を入力欄Ｃ２１１〜Ｃ２１８の全てに入力する。また、「普通」を選択した場合には、ユーザは、各部の寸法を入力欄Ｃ２１５〜Ｃ２１８に入力する。全ての項目を入力した後、ユーザが「実行」アイコンＩ５０をクリックすると、ＣＰＵ１は、入力された値に基づいて、積算図を施工図に書き換える。なお、同じ開口部が同じフロアに複数あり、全てを一度に変換するには、「全実行」アイコンＩ５１をクリックすることにより、同フロア内の同記号の全開口部が変換される。
この開口編集を行うことにより、図３８（ａ）に示す積算図は、図３８（ｂ）に示す施工図に変換される。なお、図３８は、ユーザが「抱き」を選択した場合の例である。
【００７４】
４．躯体数量積算
建物の施工図の作図後、ＣＰＵ１は、躯体数量積算プログラム３３ｄを実行することにより、図３９に示すように、出力部５の表示画面に、再度、指示入力画面Ｄ３６を表示させる（ステップＳ７）。ここで、ユーザが躯体数量積算バーＢ３をクリックすると、躯体積算に関する項目（躯体数量積算、集計表の作成、鉄筋定尺表の作成、各躯体数量積算の確認表）が表示される。以下、各項目について説明する。
（１）躯体数量積算
ユーザが躯体数量積算の項目を選択すると、ＣＰＵ１は積算範囲指定画面Ｄ３７を出力部５の表示画面に表示させる。ユーザは、部材毎に設けられた入力欄Ｃ２５０をクリックすることにより、積算させる部材を選択する。選択した部材は、積算する階を指定することができ、「全て」の入力欄Ｃ２５０をクリックすると、全部材全階にわたって積算を行う。そして、ユーザが「開始」アイコンＩ６３をクリックすると、ＣＰＵ１は、施工図上で配置された部材に必要なコンクリート、型枠、鉄筋の数量を算出する。積算が終了すると、各部材に対応して「計算済み」の表示がなされ、ユーザが選択した部材の全ての積算が終わると、ユーザは「終了」アイコンＩ６４をクリックすることにより、躯体数量積算を終了させる。
【００７５】
（２）集計表の作成
ユーザが集計表の作成の項目を選択すると、ＣＰＵ１は、図４１又は図４２に示すように、集計表作成画面を出力部５の表示画面に表示させる。集計表作成画面は、集計表の作成を部位別又は階別に行う個別集計表作成画面Ｄ３８と全範囲で集計表作成を行う全体集計表作成画面Ｄ３９とに切替可能に構成されている。
個別集計表作成画面Ｄ３８では、図４１に示すように、リスト番号選択欄Ｆ１０及び出力範囲選択欄Ｆ１１が表示され、ユーザはリスト番号の選択及び出力範囲の選択を行う。また、ユーザは、鉄筋補正を入力欄Ｃ２６０に入力する。また、ＣＰＵ１は、これらの選択欄Ｆ１０，Ｆ１１及び入力欄Ｃ２６０の隣に、各部材と各部材の積算したファイルの有無と各部材の積算範囲とを表示させる。そして、ユーザが「開始」アイコンＩ６５をクリックすることにより、ＣＰＵ１は、集計表を作成する。また、集計表の作成が終了した場合は、ユーザが「終了」アイコンＩ６６をクリックすることにより、ＣＰＵ１は、集計表の作成を終了させる。
【００７６】
全体集計表作成画面Ｄ３９では、図４２に示すように、リスト番号選択欄Ｆ１２が表示され、ユーザはリスト番号の選択を行う。また、ユーザは、鉄筋補正を入力欄Ｃ２６１に入力する。また、ＣＰＵ１は、これらの選択欄Ｆ１２及び入力欄Ｃ２６１の隣に、各部材と各部材の積算したファイルの有無と各部材の積算範囲とを表示させる。そして、ユーザが「開始」アイコンＩ６７をクリックすることにより、ＣＰＵ１は、集計表を作成する。また、集計表の作成が終了した場合は、ユーザが「終了」アイコンＩ６８をクリックすることにより、ＣＰＵ１は、集計表の作成を終了させる。
【００７７】
（３）鉄筋定尺表の作成
ユーザが鉄筋定尺表の作成の項目を選択すると、ＣＰＵ１は、図４３又は図４４に示すように、鉄筋定尺表画面を出力部５の表示画面に表示させる。鉄筋定尺表画面は、鉄筋定尺リスト作成画面Ｄ４０と鉄筋定尺表作成画面Ｄ４１とに切替可能に構成されている。
鉄筋定尺リスト作成画面Ｄ４０では、図４３に示すように、ユーザが部材リスト入力で設定した鉄筋の仕様、定尺の最低長、最大長、間隔長を入力欄Ｃ２６５に入力するとともに確認する。全ての項目を入力した後、ユーザが保存アイコンＩ６９をクリックすることにより、ＣＰＵ１は、入力された値をＲＡＭ２に記憶させる。
また、鉄筋定尺表作成画面Ｄ４１では、図４４に示すように、ユーザが定尺を計算させる部材を選択し、各部材に対応して設けられた入力欄Ｃ２６６をクリックすることにより、定尺表を作成する部材の選択が確定する。そして、ユーザが「開始」アイコンＩ７０をクリックすることにより、ＣＰＵ１は、選択された部材の定尺表を作成する。
なお、操作終了後には、ユーザが「終了」アイコンＩ７１をクリックすることにより、ＣＰＵ１は、図３９に示すように、出力部５の表示画面に指示入力画面Ｄ３６を表示させる。
【００７８】
（４）各躯体数量積算の確認表
ユーザが躯体数量積算の確認表の項目を選択すると、ＣＰＵ１は、図４５に示すように、確認表作成画面Ｄ４２を出力部５の表示画面に表示させる。
確認表作成画面Ｄ４２では、ユーザは、確認又は出力したい部材、出力する項目を各部材毎に選択し、各部材に対応して設けられた入力欄Ｃ２７０をクリックすることにより、確認又は出力したい部材、出力する項目の選択が確定する。そして、ユーザが、「表示印刷」アイコンＩ７２をクリックすると、ＣＰＵ１は、図４６に示すような選択した部材の確認表出力画面Ｄ４３を出力部５の表示画面に表示させる。ここでは、ユーザの指示入力により、確認表出力画面Ｄ４３をプリントアウトすることも可能である。
なお、操作終了後には、ユーザが「終了」アイコンＩ７３をクリックすることにより、ＣＰＵ１は、図３９に示すように、出力部５の表示画面に指示入力画面Ｄ３６を表示させる。
【００７９】
このように、本実施の形態の建築施工支援装置１００、建築施工支援方法及び建築施工支援に関する各プログラムによれば、ＣＰＵ１が建物仕様設定プログラム３３ａを実行することにより、建築施工する建物の仕様を設定し、部材仕様設定プログラム３３ｂを実行することにより、その建物を建築施工するにあたって必要な部材の仕様を設定する。更に、ＣＰＵ１は、作図プログラム３３ｃを実行することにより、建物の仕様に基づいて、仕様が設定された部材を配置して積算図を作図し、この積算図を施工図に変換し、躯体数量積算プログラム３３ｄを実行することにより、作成された施工図における部材の数量と部材仕様設定プログラム３３ｂにより設定された部材の仕様とに基づいて建物の躯体数量についての積算を行う。よって、一つの装置で施工図の作成や積算を行うことができるので、施工図の作成や積算を容易に行うことができる。また、施工時に積算図から施工図に書き換えなくても、作図プログラムが自動的に変換してくれるので施工時のユーザの負担を軽減することができる。
また、入力部４により鉄筋の定着及び継手に関するデータ、コンクリートデータ、型枠データ、鉄筋データが入力されると、入力されたデータは建物仕様データ記憶部３１に記憶される。これにより、必要な部材の設定時にこれらのデータを考慮することができるので、施工図の作成や積算の容易化に寄与させることができる。
更に、入力部４により建物の柱、梁、床版、壁、開口部の構築に必要な部材データが入力されると、入力された柱部材データ、梁部材データ、床版部材データ、壁部材データ、開口部データは部材データ記憶部３２に記憶される。これにより、必要な部材データとして柱、梁、床版、壁、開口部のデータを設定することができるので、施工図の作成や積算の容易化に寄与させることができる。
【００８０】
なお、本発明は、上記実施の形態に限定されるものではない。例えば、建物の仕様設定においては、上記項目に限らず、独立基礎の配筋仕様、柱の配筋仕様、基礎梁の配筋仕様、梁の配筋仕様、床版の配筋仕様、壁の配筋仕様、階段の配筋仕様、雑壁の配筋仕様等を設定するようにしても良い。また、建物の部材設定においても、上記項目に限らず、杭リスト、基礎リスト、階段リスト、雑壁リスト、雑リスト等を設定するようにしても良い。更に、上記実施の形態では、建物の仕様設定、部材の仕様設定、施工図の作成、躯体数量積算を行うプログラムはそれぞれ別個に構成されているが、各プログラムを一つのプログラムで実現するようにしてもよい。その他、本発明は、発明の要旨を逸脱しない範囲内で自由に変更、改良が可能である。
【図面の簡単な説明】
【００８１】
【図１】建築施工支援装置のブロック図である。
【図２】建築施工支援装置のフローチャートである。
【図３】建築施工支援装置を起動させたときのオープニング画面である。
【図４】階高入力画面である。
【図５】特記仕様設定画面である。
【図６】指示入力画面である。
【図７】建物概要設定画面である。
【図８】鉄筋定着継手設定画面である。
【図９】コンクリート設定画面である。
【図１０】型枠設定画面である。
【図１１】鉄筋個別設定画面である。
【図１２】鉄筋階標準設定画面である。
【図１３】指示入力画面である。
【図１４】柱部材リスト選択画面である。
【図１５】柱部材リスト入力画面である。
【図１６】柱部材リスト入力画面である。
【図１７】柱部材リスト入力画面である。
【図１８】柱部材リスト入力画面である。
【図１９】柱部材リスト入力画面である。
【図２０】梁部材リスト選択画面である。
【図２１】梁部材リスト入力画面である。
【図２２】梁部材リスト入力画面である。
【図２３】床版部材リスト選択画面である。
【図２４】床版部材リスト入力画面である。
【図２５】床版部材リスト入力画面である。
【図２６】床版部材リスト入力画面である。
【図２７】床版部材リスト入力画面である。
【図２８】壁部材リスト選択画面である。
【図２９】壁部材リスト入力画面である。
【図３０】壁部材リスト入力画面である。
【図３１】壁部材リスト入力画面である。
【図３２】壁部材リスト入力画面である。
【図３３】壁部材リスト入力画面である。
【図３４】開口リスト入力画面である。
【図３５】ＣＡＤ画面である。
【図３６】ＣＡＤ画面である。
【図３７】開口編集画面である。
【図３８】（ａ）は積算図、（ｂ）は施工図である。
【図３９】指示入力画面である。
【図４０】積算範囲指定画面である。
【図４１】個別集計表作成画面である。
【図４２】全体集計表作成画面である。
【図４３】鉄筋定尺リスト作成画面である。
【図４４】鉄筋定尺表作成画面である。
【図４５】確認表作成画面である。
【図４６】確認表出力画面である。
【符号の説明】
【００８２】
１  ＣＰＵ（建物仕様設定手段、部材仕様設定手段、作図手段、躯体数量積算手段）
３  ＲＯＭ（建物仕様設定手段、部材仕様設定手段、作図手段、躯体数量積算手段）
３１  建物仕様データ記憶部（データ記憶手段）
３２  部材データ記憶部（部材データ記憶手段）
３３ａ  建物仕様設定プログラム（建物仕様設定機能）
３３ｂ  部材仕様設定プログラム（部材仕様設定機能）
３３ｃ  作図プログラム（作図機能）
３３ｄ  躯体数量積算プログラム（躯体数量積算機能）
３４  部材リスト記憶部（部材リスト記憶手段）
４  入力部（データ入力手段、部材データ入力手段）
１００  建築施工支援装置
【図１】
2005222283.tif 000003
【図２】
2005222283.tif 000004
【図３】
2005222283.tif 000005
【図４】
2005222283.tif 000006
【図５】
2005222283.tif 000007
【図６】
2005222283.tif 000008
【図７】
2005222283.tif 000009
【図８】
2005222283.tif 000010
【図９】
2005222283.tif 000011
【図１０】
2005222283.tif 000012
【図１１】
2005222283.tif 000013
【図１２】
2005222283.tif 000014
【図１３】
2005222283.tif 000015
【図１４】
2005222283.tif 000016
【図１５】
2005222283.tif 000017
【図１６】
2005222283.tif 000018
【図１７】
2005222283.tif 000019
【図１８】
2005222283.tif 000020
【図１９】
2005222283.tif 000021
【図２０】
2005222283.tif 000022
【図２１】
2005222283.tif 000023
【図２２】
2005222283.tif 000024
【図２３】
2005222283.tif 000025
【図２４】
2005222283.tif 000026
【図２５】
2005222283.tif 000027
【図２６】
2005222283.tif 000028
【図２７】
2005222283.tif 000029
【図２８】
2005222283.tif 000030
【図２９】
2005222283.tif 000031
【図３０】
2005222283.tif 000032
【図３１】
2005222283.tif 000033
【図３２】
2005222283.tif 000034
【図３３】
2005222283.tif 000035
【図３４】
2005222283.tif 000036
【図３５】
2005222283.tif 000037
【図３６】
2005222283.tif 000038
【図３７】
2005222283.tif 000039
【図３８】
2005222283.tif 000040
【図３９】
2005222283.tif 000041
【図４０】
2005222283.tif 000042
【図４１】
2005222283.tif 000043
【図４２】
2005222283.tif 000044
【図４３】
2005222283.tif 000045
【図４６】
2005222283.tif 000046
【図４４】
2005222283.tif 000047
【図４５】
2005222283.tif 000048